(57)【要約】【課題】商用電源から引き込んだ引き込み線で、家屋への引き込み箇所から住宅用分電盤までの間の配線箇所で漏電が起こった際にも漏電を検出して回路を遮断することができる漏電遮断システムを提供すること。【解決手段】商用電源からの配電線１が引き込まれる電力量計２と、該電力量計２を経た配電線を引き込んで分岐する分電盤３との間に、漏電を検出して回路を遮断する漏電遮断手段４を設け、該漏電遮断手段４を電力量計２と同一キャビネット５に配置した。【選択図】図１
2013225967.tif 000002
【特許請求の範囲】
【請求項１】
商用電源からの配電線が引き込まれる電力量計と、該電力量計を経た配電線を引き込んで分岐する分電盤との間に、漏電を検出して回路を遮断する漏電遮断手段を設け、該漏電遮断手段を該電力量計と同一キャビネットに配置したことを特徴とする漏電遮断システム。
【請求項２】
該漏電遮断手段を、該電力量計の直下に配置したことを特徴とする請求項１記載の漏電遮断システム。
【請求項３】
該電力量計が、商用電源供給先から各需要家先での電力供給状況を制御することができるスマートメータであって、
該スマートメータは計測部と表示部と開閉部と通信部とを備え、
該開閉部を該漏電遮断手段とし、
漏電検出手段が発する漏電検出信号によって該開閉部が動作する
ことを特徴とする請求項１記載の漏電遮断システム。
【請求項４】
該漏電検出手段が動作した場合に漏電発生警報を発信する警報機構部を屋内に備えることを特徴とする請求項２記載の漏電遮断システム。
【請求項５】
該漏電遮断手段は、漏電発生警報の発信後、所定時間経過後に回路を遮断することを特徴とする請求項４記載の漏電遮断システム。
【請求項６】
回路遮断後の該漏電遮断手段を操作する再投入操作手段を屋内に備えることを特徴とする請求項２または３記載の漏電遮断システム。
【請求項７】
該スマートメータは、該開閉部を閉路する投入器の動作と外部遠隔操作に対して優先順位設定手段を備えることを特徴とする請求項３記載の漏電遮断システム。
【発明の詳細な説明】
【技術分野】
【０００１】
本発明は、漏電遮断システムに関するものである。
【背景技術】
【０００２】
通常、一般家屋への電源供給は、図４に示すように、商用電源から引き込んだ引き込み線１を、家屋の外壁等に設置された電力量計２を介して屋内に設置された分電盤３に配線して行われている。
【０００３】
従来から住宅用分電盤（例えば、特許文献１）に内蔵されている主幹ブレーカや、分岐ブレーカのうち必要と思われるブレーカには、過負荷や短絡により回路に過電流が流れた場合に自動的に回路を遮断する他、漏電が発生した場合にも自動的に回路を回路を遮断する機能を備えた漏電ブレーカが用いられて、人体の保護が図られている。
【０００４】
しかし、従来の住宅用分電盤内に漏電ブレーカを配置した漏電遮断システムでは、住宅用分電盤の上流側、すなわち家屋への引き込み箇所から住宅用分電盤までの間の配線箇所で断線等が生じ漏電が起こった際に検知されないまま放置され、断線等による漏電箇所から出火して家屋の火災等につながる恐れがあるという問題があった。
【先行技術文献】
【特許文献】
【０００５】
【特許文献１】特開２００６-２０４７４号公報
【発明の概要】
【発明が解決しようとする課題】
【０００６】
本発明の目的は前記の問題を解決し、商用電源から引き込んだ引き込み線で、家屋への引き込み箇所から住宅用分電盤までの間の配線箇所で漏電が起こった際にも漏電を検出して回路を遮断することができる漏電遮断システムを提供することである。
【課題を解決するための手段】
【０００７】
上記課題を解決するためになされた本発明の漏電遮断システムは、商用電源からの配電線が引き込まれる電力量計と、該電力量計を経た配電線を引き込んで分岐する分電盤との間に、漏電を検出して回路を遮断する漏電遮断手段を設け、該漏電遮断手段を該電力量計と同一キャビネットに配置したことを特徴とするものである。
【０００８】
請求項２記載の発明は、請求項１記載の漏電遮断システムにおいて、該漏電遮断手段を、該電力量計の直下に配置したことを特徴とするものである。
【０００９】
請求項３記載の発明は、請求項１記載の漏電遮断システムにおいて、該電力量計が、商用電源供給先から各需要家先での電力供給状況を制御することができるスマートメータであって、該スマートメータは計測部と表示部と開閉部と通信部とを備え、該開閉部を該漏電遮断手段とし、漏電検出手段が発する漏電検出信号によって該開閉部が動作することを特徴とするものである。
【００１０】
請求項４記載の発明は、請求項２記載の漏電遮断システムにおいて、該漏電検出手段が動作した場合に漏電発生警報を発信する警報機構部を屋内に備えることを特徴とするものである。
【００１１】
請求項５記載の発明は、請求項４記載の漏電遮断システムにおいて、該漏電遮断手段は、漏電発生警報の発信後、所定時間経過後に回路を遮断することを特徴とするものである。
【００１２】
請求項６記載の発明は、請求項２または３記載の漏電遮断システムにおいて、回路遮断後の該漏電遮断手段を操作する再投入操作手段を屋内に備えることを特徴とするものである。
【００１３】
請求項７記載の発明は、請求項３記載の漏電遮断システムにおいて、スマートメータは、開閉部を閉路する投入器の動作と外部遠隔操作に対して優先順位設定手段を備えることを特徴とするものである。
【発明の効果】
【００１４】
本発明の漏電遮断システムでは、商用電源からの配電線が引き込まれる電力量計と、該電力量計を経た配電線を引き込んで分岐する分電盤との間に、漏電を検出して回路を遮断する漏電遮断手段を設け、該漏電遮断手段を該電力量計と同一キャビネットに配置しているため、電力量計から分電盤までの間の配線箇所で漏電が起こった際にも漏電を検出して回路を遮断することができ、漏電による火災等の事故を未然に防止することができる。
【００１５】
請求項２記載の発明のように、該漏電遮断手段を、該電力量計の直下に配置する構成とすることにより、コンパクトな構造とすることができる。
【００１６】
電力量計がスマートメータである場合には、請求項３記載の発明のように、漏電検出手段が発する漏電検出信号によってスマートメータの開閉部を用いて漏電遮断手段としたので容易に対応することができる。
【００１７】
請求項４記載の発明のように、該漏電検出手段が動作した場合に漏電発生警報を発信する警報機構部を屋内に備えることにより、分電盤よりも上位で漏電が生じたことを確実に知らしめることができる。
【００１８】
請求項５記載の発明のように、該漏電遮断手段は漏電発生警報の発信後、所定時間経過後に回路を遮断する構成とすることにより、漏電検出時から遮断時までにタイムラグを持たせることができるため、回路遮断による混乱を低減することができる。
【００１９】
請求項６記載の発明のように、回路遮断後の該漏電遮断手段を操作する再投入操作手段を屋内に備えることにより、投入に屋外などの電力量計の所まで行かなくてもよく便利である。また、通常、漏電遮断手段の有無等は需要家先で認識されていないことも多いが、屋内に再投入操作手段を設けることによって、漏電遮断手段の存在を認知させることができるという効果も期待される。
【００２０】
請求項７記載の発明のように、スマートメータは、開閉部を閉路する投入器の動作と外部遠隔操作に対して優先順位設定手段を備えることにより、投入器の動作と電力会社や管理会社の外部遠隔操作が相違した場合でも、事前に決めた内容で適切に対応できるものである。
【図面の簡単な説明】
【００２１】
【図１】実施形態１の説明図である。
【図２】実施形態２の説明図である。
【図３】実施形態３の説明図である。
【図４】従来技術の説明図である。
【発明を実施するための形態】
【００２２】
以下に本発明の好ましい実施形態を示す。以下、商用電源からの配電線１が、家屋の外壁に取り付けられた電力量計２を介して、各家屋の内部に配置された分電盤３に引き込まれる構成、および、電力量計２と分電盤３との間に、漏電を検出して回路を遮断する漏電遮断手段４を設け、電力量計２が収納された電力量計キャビネット５内に漏電遮断手段４を配置している構成は、実施形態１〜３において共通するものである。
【００２３】
（実施形態１）
本実施形態では、図１に示すように、家屋の外壁に取り付けられた電力量計キャビネット５内に電力量計２と、該電力量計２の直下に漏電遮断手段４としての漏電ブレーカ４１が収納されている。商用電源からの配電線１は、電力量計キャビネット５に引き込まれて電力量計２に接続された後、電力量計２の負荷側から引き出され、続いて漏電ブレーカ４１を介して電力量計キャビネット５から引き出された後、屋内の分電盤３に接続されている。
【００２４】
屋内の分電盤３内には、漏電ブレーカ４１の漏電検出手段が動作した場合に漏電発生警報を出す警報機構部１０が設けられ、この警報機構部１０の警報によって家人は住宅用分電盤の上流側、すなわち家屋への引き込み箇所から住宅用分電盤までの間の配線箇所で断線等が生じ漏電が起こったことを把握することができる。この漏電ブレーカ４１では外部引き外し信号が漏電検出手段が動作したものとして対応している。
【００２５】
漏電ブレーカ４１には、前記警報機構部１０が警報を出し、漏電ブレーカ４１が電路を遮断した後に再度漏電ブレーカ４１を投入する投入器９が設けられている。この投入器９は直接操作によって動作する手動のものでもよいし、1回若しくは数回のみ動作する自動投入器でもよい。雷のノイズなどにより誤動作した場合では自動投入は便利である。また、分電盤３には、前記投入器９を家屋内から操作するための操作部６が設けれらている。
【００２６】
（実施形態２）
本実施形態では、図２に示すように、電力量計２としてスマートメータ２１が採用されている。スマートメータとは、商用電源供給先からの遠隔操作やプログラミングなどにより、各需要家先での電力供給状況を制御可能としたものであり、スマートメータ内部には計測部、表示部、開閉部、通信部を備えている。
【００２７】
本実施形態では、スマートメータが従来から備えている開閉部４２を、漏電遮断手段４として兼用し、該スマートメータと分電盤３との間に、漏電検出手段および漏電遮断手段に対する漏電信号送信手段を備えた漏電検知ユニット７が配置されている。図２では、漏電検知ユニット７を家屋の内部に配置しているが、漏電検知ユニット７は電力量計キャビネット５内に配置してもよいし、スマートメータ２１の内部に配置してもよい。なお、漏電検出ユニット７は実施形態３のように家屋の引き込み口近傍に配置してもよく、この実施形態のように漏電検知ユニット７を別に配置する他にも、スマートメータ７内に漏電検出ユニット７を設けるようにしてもよい。また、この明細書中では、漏電遮断手段を、電力量計２の電気的や物理的の直下に配置したものは、スマートメータ２１のように漏電遮断手段を内部に設けたものや、電力量計に一連や隣接して設けたものを含むものである。
【００２８】
分電盤３には、開閉部４２が電路を遮断した後に再度開閉部４２を投入する再投入操作手段である操作部６が設けられている。スマートメータ２１は操作部６若しくは自動投入器の動作によって該開閉部を閉路する投入器６を設けたものであるが、スマートメータ２１は電力会社や管理会社からの外部遠隔操作が可能であるため、その場合、投入器６の動作と外部遠隔操作が相違する場合も想定される。このため、投入器６の操作と外部遠隔操作に対しての優先順位設定手段を設けておくことが好ましい。
【００２９】
（実施形態３）
本実施形態では、図３に示すように、商用電源からの配電線１は、家屋に引き込まれた後、外壁の面若しくは建物内部を通って、離れた箇所の外壁に取り付けられた電力量計キャビネット５に引き込まれ、電力量計キャビネット５内で電力量計２に接続された後、電力量計２の負荷側から引き出され、続いて回路遮断器４３を介して電力量計キャビネット５から引き出された後、屋内の分電盤３に接続されている。
【００３０】
電力量計キャビネット５内には、外部操作信号による回路遮断器４３が配置され、引き込み口８近傍に漏電検知ユニット７が配置されている。
【００３１】
このように、電力量計キャビネット５内には、外部操作信号による回路遮断器４３を設け、引き込み口８近傍に漏電検知ユニット７を設けることにより、商用電源からの配電線１を家屋に引き込む引き込み口８と電力量計キャビネット５の設置場所が離れている場合において、引き込み口８から電力量計までの配線に漏電が生じた場合にも確実に漏電検出を行うことができる。
【００３２】
上記実施形態１〜３において、漏電遮断手段４は主に建物を火災等から保護することを目的としたものである。主に人体の保護を目的として分電盤３内に配置されている漏電ブレーカは瞬時の動作が求められるが、主に建物を火災等から保護することを目的とする漏電遮断手段４は、瞬時レベルでの動作が求められるものではないため、突然の回路遮断による混乱を回避するために、数分の警報後に遮断する構造とすることが好ましい。
【００３３】
停電が生じた場合、特に専門知識を有さない一般家庭においても、屋内に配置された分電盤３の点検は容易に行うことができ習慣化されているため、家屋の外壁に取り付けられた電力量計キャビネット５内に収納された漏電遮断手段４の再投入操作のための操作部６も、屋内に配置された分電盤３内に設けることが好ましい。
【００３４】
分電盤３内には、更に、漏電遮断手段４に対応した表示部を設けておくことが好ましい。また漏電遮断手段４が動作したときには、下位は全て停電となるので、表示部には別にバッテリなどを接続したものが好ましく、機械式の表示部でもよい。表示部は、漏電遮断手段４が検出した漏電と、分岐ブレーカや主幹ブレーカが検出した漏電を識別できるように、いずれが動作したのか一目でわかるようにしたものが好ましい。
【００３５】
実施形態２および３において、漏電検出ユニット７はＺＣＴの漏電検出部と漏電検出回路を一体のもので説明したが、漏電検出回路を電力量計キャビネットに収納し、ＺＣＴの漏電検出部だけを分離して引き込み口などの建物の一部に設置することもできる。
【００３６】
以上の実施形態では、戸建ての住宅の例で説明したが、これに限定されるものではなく、マンション各戸やテナントなど、建物内での各々に分離される引き込み口から分電盤まで離れている箇所に適応できるものである。
【符号の説明】
【００３７】
１  配電線
２  電力量計
２１  スマートメータ
３  分電盤
４  漏電遮断手段
４１  漏電ブレーカ
４２  開閉部
４３  外部操作信号による回路遮断器
５  電力量計キャビネット
６  投入器
７  漏電検知ユニット
８  引き込み口
９  投入器
１０  警報機構部
【図１】
2013225967.tif 000003
【図２】
2013225967.tif 000004
【図３】
2013225967.tif 000005
【図４】
2013225967.tif 000006